(57)【要約】【課題】スラグを敷き詰めてなるバリア層を用いた建物基礎部の防蟻構造において、防蟻効果を良好に維持しながらも、スラグの粒径管理を簡単にして、余剰スラグの削減を可能とし、バリア層の施工を容易にして、スラグの使用量も低減する。【解決手段】この防蟻構造は、布基礎１と土間コンクリート２との間の隅部に沿って、土壌面の基礎際を覆うようにバリア層１０を配設している。バリア層１０は、最大粒径が５ｍｍ以下の徐冷スラグを、層厚が３０ｍｍ以上となるように敷き詰めてなり、粒径が１．１８〜４．７５ｍｍの範囲内の徐冷スラグを５０重量％以上含有している。また、バリア層１０は、縦方向の断面形状が四半楕円形状となっていて、高さ寸法Ｈが５０ｍｍの垂直面１１と、幅寸法Ｗが７０ｍｍの水平面１２と、土壌面の基礎際を覆う湾曲面からなる底面１３とを備えている。【選択図】図３
2014062435.tif 000002
【特許請求の範囲】
【請求項１】
建物基礎部における土壌面の全体又は一部を、シロアリ侵入防止用のバリア層（１０）によって覆うようにした建物基礎部の防蟻構造であって、前記バリア層（１０）は、目開き５ｍｍの篩を通過する粒状の徐冷スラグを、層厚が３０ｍｍ以上となるように敷き詰めてなり、ＪＩＳ Ａ １１０２において規定されている目開き１．１８ｍｍの篩に留まり、且つ、目開き４．７５ｍｍの篩を通過する徐冷スラグを５０重量％以上含有していることを特徴とする建物基礎部の防蟻構造。
【請求項２】
布基礎（１）の立上り部（４）の内側面（４ａ）によって囲まれた床下の土壌面上に土間コンクリート（２）が施工されて、前記布基礎（１）の立上り部（４）の内側面（４ａ）と前記土間コンクリート（２）の端面（２ａ）とが接合された建物基礎部において、前記布基礎（１）の立上り部（４）の内側面（４ａ）と前記土間コンクリート（２）の端部下面（２ｂ）との間の接合部位（６）下側の隅部に沿って、前記土壌面の一部を覆うように前記バリア層（１０）を配設して、前記バリア層（１０）は、前記布基礎（１）の立上り部（４）の内側面（４ａ）に接する垂直面（１１）と、前記土間コンクリート（２）の端部下面（２ｂ）に接する水平面（１２）と、前記土壌面に接する底面（１３）とを備え、前記底面（１３）が前記接合部位（６）から遠ざかるように張り出した湾曲面となっている請求項１記載の建物基礎部の防蟻構造。
【請求項３】
前記バリア層（１０）の縦断面において、高さ寸法３０ｍｍ、幅寸法５０ｍｍの長方形状の有効領域を含ませるようにした請求項２記載の建物基礎部の防蟻構造。
【請求項４】
前記垂直面（１１）の高さ寸法（Ｈ）を５０ｍｍ以上、前記水平面（１２）の幅寸法（Ｗ）を７０ｍｍ以上とした請求項２又は３記載の建物基礎部の防蟻構造。
【発明の詳細な説明】
【技術分野】
【０００１】
この発明は、シロアリの侵入を防止して建物を保護するための建物基礎部の防蟻構造に関する。
【背景技術】
【０００２】
建物へのシロアリの侵入を防止するための防蟻処理としては、薬剤を使用する方法が一般的に知られている。具体的には、食害を受け易い建物の木質部分に薬剤を直接散布又は含浸させたり、建物基礎部における土壌面に薬剤を直接散布又は薬剤を含浸させたシート等を敷設している。
【０００３】
しかしながら、上記のように薬剤を使用する方法では、薬剤の成分による人体や動植物ならびに周辺環境への影響が懸念される。また、建物の解体等の際には、土壌に薬剤が含有されているため、残土を全て処分しなければならない。さらに、薬剤は時間が経つにつれて防蟻効果が消失するので、定期的に防蟻処理を繰り返す必要があるといった不具合があった。
【０００４】
そこで、本出願人は、特許文献１〜５に開示されているように、建物基礎部における土壌面の全体又は一部を、無機物粒子を敷き詰めてなるバリア層や鉄鋼副産物であるスラグを敷き詰めてなるバリア層によって覆うことで、薬剤を使用することなく、防蟻効果を長期間持続させて防蟻処理の再施工を原則不要とした防蟻構造を提案している。
【先行技術文献】
【特許文献】
【０００５】
【特許文献１】特開２００１−１１９６２号公報
【特許文献２】特開２００１−１１９６３号公報
【特許文献３】特開２００６−３１６５３７号公報
【特許文献４】特開２００８−１２１２００号公報
【特許文献５】特開２０１０−１０６４４８号公報
【発明の概要】
【発明が解決しようとする課題】
【０００６】
無機物粒子は、敷き詰めた際にシロアリが物理的に通過し得ないように粒径が調整されている。すなわち、無機物粒子の粒径は、粒子間の隙間がシロアリの体の寸法よりも小さく、且つ、粒子自体がシロアリによって排除され得ない程度に大きくなるように、例えば０．５〜５．０ｍｍ(好ましくは２．０ｍｍ程度)に調整されている。従って、無機物粒子を敷き詰めてなるバリア層を用いる場合、細かな粒径管理が必要となるといった問題があった。
【０００７】
また、無機物粒子として石やガラス等を粒状に粉砕したものを使用する場合、粒径が２．０ｍｍ程度のもの（中心粒径のもの）を多く含んでいても、シロアリがバリア層を通過してしまうことがあった。この原因としては、バリア層において粒子同士がバラバラで結合しておらず、粒子間に空隙が生じ易くなっているからであると推測される。
【０００８】
一方、スラグは、水分の存在下で固まる水硬性を有していて、スラグを敷き詰めてなるバリア層においては、土壌に含まれる水分や散水によってスラグ同士が結合して硬化することから、粒径の小さなスラグが多少含まれていても、シロアリが掘り進み難く、また粒径の大きなスラグが多少含まれていても、これらスラグ間に生じる空隙を粒径の小さなスラグが埋めるため、シロアリがすり抜け難い。従って、スラグを敷き詰めてなるバリア層を用いる場合、細かな粒径管理をしなくても済み、しかも防蟻効果を良好に維持することができる。
【０００９】
なお、無機物粒子として水硬性を有するセメント材料（コンクリートやモルタル）を敷き詰めてなるバリア層においては、セメント材料同士が結合して硬化することになるが、セメント材料の硬化は水和反応によるものであって、硬化前に比べて硬化後のバリア層は収縮するため、基礎とバリア層との間の接合部分が肌別れを起こし、シロアリが侵入する空隙を与えてしまう。これに対し、スラグの硬化は炭酸化反応によるものであって、硬化前と硬化後でバリア層自体の体積は変化しない、若しくは、硬化前に比べて硬化後のバリア層は若干膨張するため、上記のような不具合は生じ難くなっている。
【００１０】
本発明者らは、このようなスラグを敷き詰めてなるバリア層を用いた防蟻構造の実現にあたって、各種の実験を繰り返すことで、例えば特許文献４に開示されているように、防蟻効果を良好に維持するのに好適なスラグの粒径範囲やその粒径範囲のスラグの含有量を導き出している。すなわち、スラグを敷き詰めてなるバリア層においては、少なくとも粒径が１．１８〜４．７５ｍｍ（実用上は１〜５ｍｍ）の範囲内のスラグを７０重量％以上含有していれば、防蟻効果を良好に維持することを確認している。しかしながら、このような知見は、スラグの水硬性が十分に発揮されない屋内実験の結果に基づいて主として導き出されたものであって、再検討する余地があった。また、特定の粒径のスラグの含有率を高く維持するということは、余剰スラグの利用用途がなければ、廃棄物が生じるということになり、環境的にも望ましくない。
【００１１】
本発明は、スラグを敷き詰めてなるバリア層の構成を見直して、防蟻効果を良好に維持しながらも、スラグの粒径管理が簡単であって、余剰スラグの削減を可能とし、バリア層を容易に施工することができ、スラグの使用量も低減することができる建物基礎部の防蟻構造の提供を目的とする。
【課題を解決するための手段】
【００１２】
本発明者らは、建物の床下に近い環境（実使用環境）を再現した屋外実験を重ねて実施していくなかで、スラグを敷き詰めてなるバリア層において、スラグの最大粒径を限定することで、粒径が１．１８〜４．７５ｍｍ（実用上は１〜５ｍｍ）の範囲内のスラグの含有量を７０重量％以上より引き下げても、防蟻効果を良好に維持することが可能であることを見出し、本発明を完成するに至った。
【００１３】
すなわち、本発明の建物基礎部の防蟻構造は、建物基礎部における土壌面の全体又は一部を、シロアリ侵入防止用のバリア層１０によって覆うようにしたものであって、前記バリア層１０は、目開き５ｍｍの篩を通過する粒状の徐冷スラグを、層厚が３０ｍｍ以上となるように敷き詰めてなり、ＪＩＳ Ａ １１０２において規定されている目開き１．１８ｍｍの篩に留まり、且つ、目開き４．７５ｍｍの篩を通過する徐冷スラグを５０重量％以上含有していることを特徴とする。
【００１４】
具体的に、布基礎１の立上り部４の内側面４ａによって囲まれた床下の土壌面上に土間コンクリート２が施工されて、前記布基礎１の立上り部４の内側面４ａと前記土間コンクリート２の端面２ａとが接合された建物基礎部において、前記布基礎１の立上り部４の内側面４ａと前記土間コンクリート２の端部下面２ｂとの間の接合部位下側の隅部に沿って、前記土壌面の一部を覆うように前記バリア層１０を配設して、前記バリア層１０は、前記布基礎１の立上り部４の内側面４ａに接する垂直面１１と、前記土間コンクリート２の端部下面２ｂに接する水平面１２と、前記土壌面に接する底面１３とを備え、前記底面１３が前記接合部位６から遠ざかるように張り出した湾曲面となっている。そして、前記バリア層１０の縦断面において、高さ寸法３０ｍｍ、幅寸法５０ｍｍの長方形状の有効領域を含ませるようにしている。また、前記垂直面１１の高さ寸法Ｈを５０ｍｍ以上、前記水平面１２の幅寸法Ｗを７０ｍｍ以上としている。
【発明の効果】
【００１５】
本発明の建物基礎部の防蟻構造においては、粒状の徐冷スラグを敷き詰めてなるバリア層を用いているので、薬剤を使用することなく、鉄鋼副産物の有効利用を図りながら、防蟻効果を長期間持続させて防蟻処理の再施工を原則不要とすることができる。
【００１６】
しかも、バリア層の構成（徐冷スラグの最大粒径、好適粒径範囲の徐冷スラグの含有量、バリア層の形状や大きさ等）を従来のものから見直すことで、防蟻効果を良好に維持しながらも、スラグの粒径管理が簡単であって、余剰スラグの削減もできる上、バリア層を容易に施工することができ、スラグの使用量も低減することができる実使用環境により適した防蟻構造とすることができる。
【図面の簡単な説明】
【００１７】
【図１】本発明の一実施形態に係る建物基礎部の防蟻構造の縦断面図である。
【図２】同じくその一部破断平面図である。
【図３】同じくそのバリア層部分を拡大して示す縦断面図である。
【図４】各種のバリア層を示す縦断面図である。
【図５】防蟻構造の施工手順を示す縦断面図である。
【発明を実施するための形態】
【００１８】
以下、本発明の実施形態を図面に基づいて詳細に説明する。本発明の一実施形態に係る建物基礎部は、図１及び図２に示すように、布基礎１と、この布基礎１によって囲まれた床下の土間部分に配された土間コンクリート２とを備えている。
【００１９】
布基礎１は、フーチング部３と、このフーチング部３の上面略中央から立ち上がった立上り部４とから断面逆Ｔ字状に形成され、フーチング部３及び立上り部４の下端が土壌５に埋設されている。
【００２０】
土間コンクリート２は、その周端部の端面２ａが布基礎１の立上り部４の内側面４ａに接合されていて、布基礎１の立上り部４の内側面４ａによって囲まれた床下の土壌面の略全面を覆うようにして、土壌面上に施工されている。
【００２１】
上記の建物基礎部においては、布基礎１の立上り部４の内側面４ａと土間コンクリート２の端面２ａとの接合部位６に生じるクラックからのシロアリの侵入を防止するために、図１及び図２に示すように、布基礎１の立上り部４の内側面４ａと土間コンクリート２の端部下面２ｂとの間の隅部に沿って、土壌面の一部（土壌面の基礎際）を覆うようにシロアリ侵入防止用のバリア層１０が配設されている。すなわち、接合部位６と土壌面の基礎際との間にバリア層１０が介在された状態となっている。
【００２２】
バリア層１０は、粒状の徐冷スラグ（高炉徐冷スラグや転炉系スラグ）を敷き詰めることで構成されている。徐冷スラグは、鉄鋼製造工程において副産物として生成される鉄鋼スラグのうち、特に自然放冷等によって徐冷処理したものであって、アルカリ性を呈し、水分の存在下で固まる水硬性を有している。
【００２３】
本発明者らは、特許文献４に開示されている知見に基づきながら、建物の床下に近い環境（実使用環境）を再現した屋外実験を重ねて実施していくなかで、徐冷スラグを敷き詰めてなるバリア層において、徐冷スラグの最大粒径を５ｍｍ以下とすることで、粒径が１．１８〜４．７５ｍｍ（実用上は粒径が１〜５ｍｍ）の範囲内の徐冷スラグの含有量を７０重量％以上から５０重量％以上に引き下げても、防蟻効果を良好に維持することが可能であることを見出した。
【００２４】
そこで、上記のバリア層１０においては、その層厚が３０ｍｍ以上となるように、目開き５ｍｍの篩を通過する徐冷スラグ（最大粒径が５ｍｍ以下の徐冷スラグ）が敷き詰められていて、ＪＩＳ Ａ １１０２「骨材のふるい分け試験」において規定されている目開き１．１８ｍｍの篩に留まり、且つ、目開き４．７５ｍｍの篩を通過する徐冷スラグ（実用上は粒径が１〜５ｍｍの範囲内の徐冷スラグ）を５０重量％以上含有させることで、良好な防蟻効果を発揮させるようにしている。
【００２５】
このような粒径範囲の徐冷スラグは、一般に流通しているＪＩＳで規定された粒度区分の徐冷スラグを購入して、これらを目開き５ｍｍの篩を通過させるだけで簡単に得ることができ、これを１００重量％使用するか、若しくは、目開き１．１８ｍｍの篩に留まり、且つ、目開き４．７５ｍｍの篩を通過する徐冷スラグを５０重量％以上使用して、残りを少なくとも最大粒径が５ｍｍ以下の徐冷スラグとすることで、細かな粒径管理を必要とせずに、上記のバリア層１０を容易に施工することができる。
【００２６】
また、上記のバリア層１０は、図３に示すように、布基礎１の立上り部４の内側面４ａに接する垂直面１１と、土間コンクリート２の端部下面２ｂに接する水平面１２と、土壌面に接する底面１３とを備え、底面１３が接合部位６から遠ざかるように張り出した湾曲面とされていて、縦断面形状（布基礎１の立上り部４の内側面４ａに対して直交する縦方向の断面形状）が四半楕円形状となっている。そして、バリア層１０の垂直面１１の高さ寸法（層厚）Ｈが５０ｍｍ、水平面１２の幅寸法Ｗが７０ｍｍ、断面積Ｓが２７．５ｃｍ２に設定されている。
【００２７】
バリア層１０を、このような形状、大きさに設定した理由について以下に説明する。上記のバリア層１０と同様に、土壌面の基礎際を覆うバリア層としては、縦方向の断面形状が略長方形状となっているもの、縦方向の断面形状が略直角三角形状となっているものが広く知られている（特許文献４及び５参照）。
【００２８】
一般に、この種のバリア層を施工する場合、土壌面の基礎際を掘り込むことによって切欠部を形成して、この切欠部にバリア層を配設しているが、前者のバリア層（略長方形状のバリア層）の場合、土壌面の基礎際をＬ字形に掘り込む必要があり、切欠部の形成が非常に面倒となって、バリア層の施工に手間がかかるといった欠点がある。
【００２９】
また、後者のバリア層（略直角三角形状のバリア層）の場合、シロアリの通過阻止に有効な高さ寸法（層厚）及び幅寸法を確保しようとすると、バリア層の体積が増えることになり、これに伴ってスラグ使用量及び残土処分量が増大して、環境面での負荷が大きくなるといった欠点がある。
【００３０】
この後者の場合について詳細に説明すると、これまでの屋外実験の結果により、シロアリの通過阻止に有効なバリア層の最小高さ寸法と最小幅寸法との関係は、最小高さ寸法＜最小幅寸法であって、具体的には最小高さ寸法として約３０ｍｍ、最小幅寸法として約５０ｍｍが必要であることが判明している。ここで、例えば図４(ａ)に示すように、布基礎１の立上り部４の内側面４ａに接する垂直面１１の高さ寸法Ｈを５０ｍｍ、土間コンクリート２の端部下面２ｂに接する水平面１２の幅寸法Ｗを５０ｍｍとして、断面積Ｓを１２．５ｃｍ2とした場合、バリア層Ｂの体積は少なくて済むが、バリア層Ｂの縦断面（布基礎１の立上り部４の内側面４ａに対して直交する縦方向の断面）において上記の最小高さ寸法や最小幅寸法を確保できない部分が生じることになって、矢印に示すようにシロアリが通過してしまうことがある。この状況は、屋外実験においても確認されている。シロアリの通過を確実に阻止するには、バリア層Ｂの縦断面（布基礎１の立上り部４の内側面４ａに対して直交する縦方向の断面）において、少なくとも最小高さ寸法（３０ｍｍ）×最小幅寸法（５０ｍｍ）の有効領域（図４中、点線で囲まれた長方形状の領域）を含ませる必要があり、図４(ｂ)や図４(ｃ)に示すような断面形状にせざるを得ない。しかし、図４(ｂ)に示す場合には断面積Ｓが３２ｃｍ2となり、図４(ｃ)に示す場合には断面積Ｓが３０ｃｍ2となって、バリア層Ｂの体積は格段に増えることになる。
【００３１】
これに対して、上記のバリア層１０においては、土壌面に接する底面１３が湾曲面となっていることから、前者のバリア層（略長方形状のバリア層）の場合と比べて、土壌面の基礎際に切欠部を簡単に形成することができ、バリア層の施工を容易にすることができる。しかも、上記のバリア層１０においては、図４(ｄ)に示すように、その縦断面（布基礎１の立上り部４の内側面４ａに対して直交する縦方向の断面）に最小高さ寸法（３０ｍｍ）×最小幅寸法（５０ｍｍ）の有効領域を含ませても、断面積Ｓが２７．５ｃｍ2となることから、後者のバリア層（略直角三角形状のバリア層）の場合と比べて、バリア層１０の体積を減らして、スラグ使用量及び残土処分量を必要最小限に抑えることができる。バリア層１０の形状、大きさを上記のように設定しているのは、このような理由による。なお、バリア層１０の大きさは、必ずしも上記の大きさに限定されず、垂直面１１の高さ寸法（層厚）Ｈを５０ｍｍよりも大きく、水平面１２の幅寸法Ｗを７０ｍｍよりも大きくしても良い。例えば、垂直面１１の高さ寸法（層厚）Ｈを布基礎１のフーチング部３までとし、水平面１２の幅寸法Ｗを１００ｍｍまたは２００ｍｍ程度としても良い。
【００３２】
次に、上記構成の建物基礎部の防蟻構造の施工手順について説明する。まず、図５（ａ）に示すように、布基礎１の立上り部４の内側面４ａによって囲まれた床下の土壌面の基礎際を、布基礎１の立上り部４の内側面４ａに沿って掘り込んで、四半楕円形状の断面形状を有する切欠部２０を形成する。
【００３３】
この掘り込み後、図５(ｂ)に示すように、切欠部２０に粒状の徐冷スラグを充填して、土壌面及びスラグ充填箇所に対して転圧を行った後、図５(ｃ)に示すように、土間コンクリート２を布基礎１の立上り部４の内側面４ａに接合させながら土壌面上に施工して、土壌５及び／又は土間コンクリート２内に含まれる水分によって徐冷スラグを硬化させる。また、土壌６及び／又は土間コンクリート２に含まれる水分だけでは、徐冷スラグの硬化が十分に進まないおそれがある場合には、土間コンクリート２の施工前に、徐冷スラグに対して直接散水して、確実に硬化させるようにしている。これにより、布基礎１の立上り部４の内側面２ａと土間コンクリート２の端部下面２ｂとの間の接合部位下側の隅部に沿って、粒状の徐冷スラグを敷き詰めてなるバリア層１０が配設される。
【００３４】
以上に、この発明の実施形態について説明したが、この発明は、上記実施形態に限定されるものではなく、この発明の範囲内で種々変更して実施することが可能である。例えば、上記実施形態の防蟻構造においては、布基礎によって囲まれた床下の土壌面の基礎際を覆うようにしてバリア層を配設していたが、床下の土壌面の全体を覆うようにしてバリア層を配設しても良く、また床下の土壌面だけでなく屋外側の土壌面の基礎際を覆うようにしてバリア層を配設しても良い。さらに、土間コンクリート上にバリア層を配設しても良いが、この場合には、土壌に含まれる水分による徐冷スラグの硬化が期待できないことから、徐冷スラグに対して直接散水して、確実に徐冷スラグを硬化させることが望ましい。
【符号の説明】
【００３５】
１・・布基礎、２・・土間コンクリート、２ａ・・土間コンクリートの端面、２ｂ・・土間コンクリートの端部下面、４・・立上り部、４ａ・・立上り部の内側面、５・・土壌、６・・接合部位、１０・・バリア層、１１・・バリア層の垂直面、１２・・バリア層の水平面、１３・・バリア層の底面、Ｈ・・垂直面の高さ寸法、Ｗ・・水平面の幅寸法
【図１】
2014062435.tif 000003
【図２】
2014062435.tif 000004
【図３】
2014062435.tif 000005
【図４】
2014062435.tif 000006
【図５】
2014062435.tif 000007